(57)【要約】【課題】暗視装置全体を軽量化し、かつ部品形状の簡素化による組立性の向上および故障発生可能性の低減に資することができる暗視装置とそのバッテリーハウジング構造を提供する。【解決手段】イメージインテンシファイアおよび回路基板を備える暗視装置本体２のハウジング３と分離可能なバッテリーハウジング４の構造である。前記バッテリーハウジング４は、導電性を有する樹脂材料によってバッテリーハウジング本体６が形成される。前記バッテリーハウジング本体６の内部にはバッテリーを保持するためのバッテリー挿入部８が形成される。前記バッテリー７と前記回路基板との間の導電通路の一部を前記バッテリーハウジング本体６によって形成した。【選択図】図５
2013196860.tif 000002
【特許請求の範囲】
【請求項１】
イメージインテンシファイアおよび回路基板を備える暗視装置本体のハウジングと分離可能なバッテリーハウジングの構造であって、
前記バッテリーハウジングは、導電性を有する樹脂材料によってバッテリーハウジング本体が形成され、
前記バッテリーハウジング本体の内部にバッテリーを保持するためのバッテリー挿入部が形成され、
前記バッテリーと前記回路基板との間の導電通路の一部を前記バッテリーハウジング本体によって形成したことを特徴とする暗視装置のバッテリーハウジング構造。
【請求項２】
前記バッテリーハウジングの樹脂材料は、炭素繊維強化樹脂であることを特徴とする請求項１に記載の暗視装置のバッテリーハウジング構造。
【請求項３】
前記バッテリーハウジング本体は、
前記暗視装置本体の操作のためのスイッチと、
前記バッテリーと前記回路基板との間を電気的に接続するためのコネクタ部とをさらに有することを特徴とする請求項１に記載の暗視装置のバッテリーハウジング構造。
【請求項４】
前記バッテリー挿入部は、リング状の絶縁プレートの内部に前記コネクタ部のプラス側に接続されるプラス端子が配設されたプラス端子ユニットが内底部に配設され、前記絶縁プレートによって前記バッテリーハウジング本体と前記プラス端子との電気的に絶縁されており、
かつ前記バッテリー保持部の入口部に導電性を有する筒状の電池サポート部品の基端部が着脱可能に取り付けられ、
前記電池サポート部品の先端部は、前記バッテリーの電池キャップを固定する導電性のキャップ固定部を有し、
前記バッテリー挿入部への前記バッテリーの挿入時には前記バッテリーのプラス端子と前記プラス端子ユニットの前記プラス端子とが電気的に導通され、
前記バッテリーのマイナス端子は、前記電池キャップと、前記電池サポート部品と、前記バッテリーハウジング本体とを介して前記コネクタ部のマイナス側に導通されることを特徴とする請求項３に記載の暗視装置のバッテリーハウジング構造。
【請求項５】
イメージインテンシファイアおよび回路基板を備える暗視装置本体と、
前記暗視装置本体のハウジングと分離可能なバッテリーハウジングとを具備し、
前記バッテリーハウジングは、導電性を有する樹脂材料によってバッテリーハウジング本体が形成され、
前記バッテリーハウジング本体の内部にバッテリーを保持するためのバッテリー挿入部が形成され、
前記バッテリーと前記回路基板との間の導電通路の一部を前記バッテリーハウジング本体によって形成したことを特徴とする暗視装置。
【発明の詳細な説明】
【技術分野】
【０００１】
本発明の実施形態は、入射光を増幅し、可視化する暗視装置とそのバッテリーハウジング構造に関する。
【背景技術】
【０００２】
入射光を増幅し、可視化する暗視装置は、使用者の頭部にかぶるへルメットに装着されて使用される。そのため、一般的な暗視装置のバッテリーハウジングは、軽量化のためにハウジング本体自体は樹脂材質を使用している。樹脂材質のハウジング本体自体は、絶縁材料によって形成されている。このハウジング本体内には、バッテリーを挿入する金属製の筒（バッテリースリーブ）が組み付けられる。これにより、導電性を有する金属製の筒（バッテリースリーブ）と、樹脂材質のハウジング本体との組み合わせにより、軽量化と電気的機能の両立を図っている。
【先行技術文献】
【特許文献】
【０００３】
【特許文献１】特表２００６−５２００８０号公報
【発明の概要】
【発明が解決しようとする課題】
【０００４】
上記従来構成の暗視装置では、ハウジング本体の内部に形成されるバッテリーの収容空間にバッテリースリーブを後から挿入する構造になっている。そのため、バッテリースリーブには突起がないことが前提となる。しかし、ハウジング本体の外部の電気導通路に当該バッテリースリーブから電気的接続をするためには専用の端子を設ける必要がある。ここで、例えばハウジング本体にバッテリースリーブ用の端子を設けるためには、あらかじめハウジング本体に肉厚部分を用意し、肉厚を利用した一段落とし込んだ部位に端子を設ける構造を採用することが普通である。しかしながら、ハウジング本体の軽量化のためにはハウジング本体に余分な肉厚部分を確保することが難しいので、上記のようにハウジング本体にバッテリースリーブ用の端子を設けるためにあらかじめ肉厚部分を用意し、肉厚を利用した一段落とし込んだ部位に端子を設ける構造を採用すること困難である。
【０００５】
そのため、専用の端子（突起）を設けたバッテリースリーブの上から射出成形で樹脂ハウジングを覆わせることでバッテリースリーブとハウジング本体とを一体化する方法としたり、ハウジング本体のバッテリーの収容空間に別体のバッテリースリーブを挿入した後に端子を取付ける等の製造方法が採用されている。しかしながら、前者ではバッテリースリーブとハウジング本体の樹脂部分との間が剥離した場合には修理不能になるので、バッテリーハウジング全体の交換が必要になる。そのため、修理費用が高くなるなどの問題がある。また、後者は工程の細分化による平行作業ができず、ながれ（順列）作業となるので、量産性に欠ける難点があるうえ、組立性が悪く、故障発生の可能性を低減し難い問題がある。
【０００６】
実施形態は上記事情に着目してなされたもので、暗視装置全体を軽量化し、かつ部品形状の簡素化による組立性の向上および故障発生可能性の低減に資することができる暗視装置とそのバッテリーハウジング構造を提供することにある。
【課題を解決するための手段】
【０００７】
実施形態によれば、イメージインテンシファイアおよび回路基板を備える暗視装置本体のハウジングと分離可能なバッテリーハウジングの構造である。前記バッテリーハウジングは、導電性を有する樹脂材料によってバッテリーハウジング本体が形成される。前記バッテリーハウジング本体の内部にバッテリーを保持するためのバッテリー挿入部が形成される。前記バッテリーと前記回路基板との間の導電通路の一部を前記バッテリーハウジング本体によって形成したことを特徴とする。  
【図面の簡単な説明】
【０００８】
【図１】第１の実施の形態の暗視装置全体の概略構成を示す斜視図。
【図２】第１の実施の形態の暗視装置のバッテリーハウジングを示す斜視図。
【図３】第１の実施の形態の暗視装置のバッテリーハウジングを示す分解斜視図。
【図４】第１の実施の形態の暗視装置のバッテリーハウジングを示す側面図。
【図５】図４のＶ−Ｖ線断面図。
【図６】図４のＶＩ−ＶＩ線断面図。
【発明を実施するための形態】
【０００９】
以下、実施の形態について、図面を参照して説明する。  
図１は、第１の実施の形態の暗視装置１全体の概略構成を示す斜視図である。本実施の形態の暗視装置１は、暗視装置本体２のハウジング３と、このハウジング３と分離可能なバッテリーハウジング４とを有する。暗視装置本体２は、図示しない光学装置であるイメージインテンシファイア（暗視デバイス）および回路基板を備える。ここで、暗視装置本体２のハウジング３には、バッテリーハウジング４を固定する複数、本実施の形態では４つのバッテリーハウジング固定部３ａが設けられている。同様に、バッテリーハウジング４には、暗視装置本体２のハウジング３のバッテリーハウジング固定部３ａと対応する位置に同数、本実施の形態では４つの固定部４ａが設けられている。そして、バッテリーハウジング４の４つの固定部４ａと、暗視装置本体２のハウジング３の４つのバッテリーハウジング固定部３ａとの間が接合された状態で図示しない固定ボルトによって暗視装置本体２のハウジング３とバッテリーハウジング４との間が着脱可能に連結されるようになっている。
【００１０】
図２は、暗視装置本体２のハウジング３から分離されたバッテリーハウジング４を示す斜視図である。このバッテリーハウジング４は、導通性があり射出形成が可能な材質である導電性を有する樹脂材料、例えば「トレカ（登録商標）長繊維ペレット」などの高性能炭素繊維強化樹脂によってほぼ矩形状のバッテリーハウジング本体６が形成されている。
【００１１】
バッテリーハウジング本体６の内部には、図５、６に示すようにバッテリー７を保持するための挿入穴であるバッテリー挿入部８が形成されている。このバッテリー挿入部８は、バッテリー７を挿入可能な円形穴によって形成されている。また、バッテリーハウジング本体６は、暗視装置本体２の操作のためのスイッチ９と、前記バッテリー７と前記暗視装置本体２の回路基板との間を電気的に接続するための図示しないコネクタ部とをさらに有する。
【００１２】
バッテリー挿入部８の内底部８ａには、プラス端子ユニット１０が配設されている。このプラス端子ユニット１０は、リング状の絶縁プレート１１の内部にコネクタ部のプラス側に接続されるプラス端子１２が配設されている。そして、絶縁プレート１１によってバッテリーハウジング本体６とプラス端子１２との間が電気的に絶縁されている。
【００１３】
また、バッテリー挿入部８の入口部８ｂには、筒状の電池サポート部品１３と、電池キャップ１４とが配設されている。電池サポート部品１３は、導電性を有する例えばステンレスなどの金属材料によって形成されている。この電池サポート部品１３の基端部には、バッテリー挿入部８の入口部８ｂの内周面に形成されたねじ穴８ｃに螺着可能な第１の雄ねじ部１３ａが形成されている。そして、バッテリー挿入部８の入口部８ｂのねじ穴８ｃに電池サポート部品１３の第１の雄ねじ部１３ａが着脱可能に取り付けられる。電池サポート部品１３の先端部には、バッテリー７の電池キャップ１４を固定する第２の雄ねじ部（キャップ固定部）１３ｂが形成されている。
【００１４】
電池キャップ１４は、導電性を有する金属材料によって有底円筒状のキャップ本体１４ａが形成されている。この電池キャップ１４には、キャップ本体１４ａの円筒部内周面にねじ穴１４ｂが形成されている。そして、電池キャップ１４のねじ穴１４ｂは、電池サポート部品１３の第２の雄ねじ部１３ｂに着脱可能に螺着される。
【００１５】
さらに、キャップ本体１４ａの内部には、中心部にバッテリー７を押圧するコイルばね部材１５が取り付けられている。このコイルばね部材１５は導電性を有する金属材料によって形成されている。また、キャップ本体１４ａの外面には中心部に突起部１４ｃが突設されている。この突起部１４ｃには、電池キャップ１４の取り外し時の脱落を防止する脱落防止用の電池キャップべルト１６が取り付けられている。この電池キャップべルト１６は、Ｕ字状のベルト本体１６ａの一端にキャップ本体１４ａの外面の突起部１４ｃに係脱可能に係合する係合穴１６ｂが形成されている。さらに、電池キャップべルト１６の他端には、電池サポート部品１３とバッテリーハウジング本体６との間に挟まれる係合リング１６ｃが形成されている。
【００１６】
また、バッテリーハウジング本体６の内部には、バッテリー挿入部８の周壁部にマイナス端子取り付け穴１７が形成されている。このマイナス端子取り付け穴１７には、マイナス端子１８が固定ねじ１９によって取り付けられている。
【００１７】
そして、バッテリー挿入部８へのバッテリー７の挿入時にはバッテリー７のプラス端子７ａとプラス端子ユニット１０のプラス端子１２とが電気的に導通され、さらにこのプラス端子１２を介してコネクタ部のプラス側に接続される。また、バッテリー７のマイナス端子７ｂは、コイルばね部材１５から電池キャップ１４と、電池サポート部品１３と、バッテリーハウジング本体６とを介してマイナス端子１８と電気的に導通され、さらにこのマイナス端子１８を介してコネクタ部のマイナス側に導通される。したがって、本実施の形態では、バッテリー７と暗視装置本体２の回路基板との間のグランド（接地）側の導電通路の一部がバッテリーハウジング本体６によって形成されている。
【００１８】
（作用・効果）  
そこで、上記構成のものにあっては次の効果を奏する。すなわち、本実施の形態の暗視装置１では、暗視装置本体２のハウジング３と分離可能なバッテリーハウジング４は、導電性を有する樹脂材料によってバッテリーハウジング本体６が形成される。前記バッテリーハウジング本体６の内部にはバッテリーを保持するためのバッテリー挿入部８が形成される。そして、前記バッテリー７と前記回路基板との間の導電通路の一部を前記バッテリーハウジング本体６によって形成している。これにより、樹脂材料によって形成されるハウジング本体の内部に金属製のバッテリースリーブを組み込む場合に比べて暗視装置１のバッテリーハウジング４の軽量化と部品形状の簡素化を実現することができる。
【００１９】
また、本実施の形態では、実運用時において損傷・変形が多い電池キャップ１４の取り付けのための電池サポート部品１３の部分をバッテリーハウジング本体６とは別部品としている。そのため、電池キャップ１４の締め付け時のネジ噛みによるねじ山の破損や、当該電池サポート部品１３の変形が生じた場合に、電池サポート部品１３のみを交換することができる。その結果、電池キャップ１４の取り付け部分の損傷・変形時にバッテリーハウジング４全体の交換が不要となるので、修理費用が高くなることを防止できる効果がある。
【００２０】
なお、上記実施の形態では、電池キャップ１４と、電池サポート部品１３とを金属材料で形成した構成を示したが、導電性を有する樹脂材料によってこれら電池キャップ１４と、電池サポート部品１３とを形成する構成にしてもよい。この場合は、バッテリーハウジング４全体を一層、軽量化することができる。
【００２１】
以上、説明したとおり、本実施の形態は、暗視装置全体を軽量化し、かつ部品形状の簡素化による組立性の向上および故障発生可能性の低減に資することができる暗視装置とそのバッテリーハウジング構造を提供することができる。
【００２２】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００２３】
２…暗視装置本体、３…ハウジング、４…バッテリーハウジング、６…バッテリーハウジング本体、７…バッテリー、８…バッテリー挿入部。
【図１】
2013196860.tif 000003
【図２】
2013196860.tif 000004
【図３】
2013196860.tif 000005
【図４】
2013196860.tif 000006
【図５】
2013196860.tif 000007
【図６】
2013196860.tif 000008